(57)【特許請求の範囲】
【請求項１】
背もたれと、座部と左右の前部フレーム１１にフットレストサポート支持部１２を介して支持されるフットレストサポート１５上にフットプレート１３が着設されたフットレストを有する車椅子の、前車輪２１と後車輪２０の間に前端を外側に湾曲させたベースフレーム２２を着設し、車椅子を折り畳んだ時、前記フットレスト１００が、前記ベースフレーム２２の内側に収納される車椅子であって、
一対の前記前部フレーム１１下端の回動自在部１４から前記フットレストサポート支持部１２を介して左右のフットレストサポート１５が架設され、前記前部フレーム１１の下端に設けられた固定部１１ａとその上部に設けられた回動自在部１４の両接触面に斜断面１１ｂ、１４ａが施され、前記左右のフットレストサポート１５相互の中間部分の連結部１６にバネ部材１６ａを着設し、ゴム板１７を貼設したフットプレート１３上に足を載せたときは平坦となり、足を載せていない時はフットプレート１３は山形の形状が維持されるフットレストを着設していることを特徴とする車椅子。
【請求項２】
車椅子のフットプレート１３の前部の角度を上げて、利用者が洋式便器Ａの外周壁Ａ１の下端に近接させると、フットレストサポート１５の回動支点１８から、フットプレート１３は回動し、さらに近接すると、フットプレート１３の上方への回動にあわせて洋式便器Ａの外周壁Ａ１下端にフットレストサポート１５が接触し、フットプレート１３は略垂直状態にまで上方に回動することができるフットプレート１３を着設していることを特徴とする請求項１に記載の車椅子。
【発明の詳細な説明】
【０００１】
【発明の属する技術分野】
車椅子に関し、さらに詳しくは、車椅子の前部に設けられたフットレストに関する。
【０００２】
【従来の技術】
車椅子の使用者が足を載せるためのフットレストは、合成繊維性の布を左右の前部フレームの脚部に渡した簡易型から、不使用時に前部フレームの左右の外側方向に跳ね上げることのできる踏み板を設けたものなど種々考案されている。しかし、合成繊維の布を左右の脚部に渡した簡易型は、足を載せた場合には足の踏ん張りが利かない欠点を有している。また、合成樹脂板を前部フレームの左右の側方から出して脚載せ台とするフットレストは、足を載せた場合は布製に比較して硬く安定しているが、不使用時に折たたむ場合、合成樹脂製のフットレストを手又は足で左右の前部フレームの外側方向に跳ね上げなければならない問題点がある。
【０００３】
さらに、車椅子の使用者の体の状態如何に係わらずフットレストが常に平坦であるということは、使用する人にとっては無理な姿勢を強いる場合も多く、長時間の使用に耐えられないことがある。
【０００４】
このように車椅子を利用する人にとって、フットレスト上に足を載せて安定感があり、長時間使用しても疲れず、しかも不使用時には折たたみ易いフットレスト構造を有する取り扱いの容易な車椅子の出現が望まれている。
【０００５】
【発明が解決しようとする課題】
本発明は上記事実に鑑みてなされたもので、使用時に足を載せても安定感があり、不使用時には折たたみやすいフットレストを有する車椅子の提供にある。
【０００６】
【課題を解決するための手段】
上記課題を解決するために鋭意研究を重ねた結果、背もたれと、座部とフットレストを有する車椅子において、該フットレストのフットプレートに足を載せたときは平坦になるようにして、足を載せていない場合は山形状にすることにより、安定感があり、折たたみが容易な車椅子の開発に成功した。
【０００７】
本発明の車椅子の第一の特徴は、背もたれと、座部と左右の前部フレームにフットレストサポート支持部材を介して支持されるフットレストサポート上にフットプレートが着設されたフットレストを有する車椅子において、前記左右のフットレストサポート相互の連結部にバネ部材が挿着されている。
【０００８】
また、左右のフットレストサポート相互の連結部に挿着されたバネ部材によりフットレストが山形状に配設されていることを特徴とする車椅子である。左右のフットレストサポート相互の連結部にバネ部材を挿着して、フットレストを山形状になるように形成することにより、足を載せたときは平坦となって、安定感を与える。また、足を載せない状態では、左右のフットプレートが山形状に形成される結果、折たたむ際にはフットレストサポートの抵抗がなく容易に折たたむことができる。
【０００９】
本発明の第二の特徴は、フットレストのフットプレートの角度が調節可能であることである。フットレストのフットレストサポート支持部に角度調節部材を着設することによって、フットプレートの角度を調節して、使用者の体の状況に合わせてフットプレートの角度を調節することができる。その結果、フットプレート上に自然な姿勢で足を載せることができ、長時間足を載せていても疲れない。
【００１０】
本発明の第三の特徴は、フットレストのフットプレートにゴム板を貼設したことを特徴としている。合成樹脂製又は金属製のフットプレートにゴム板を貼設することにより、フットプレートに足を載せた場合、硬質の合成樹脂や金属製のフットプレートに比較して、柔らかく、長時間足を載せていても痛くならず、またフットプレートから足が滑らずに安定感がある。
【００１１】
【発明の実施の形態】
本発明の車椅子のフットレスト１００の実施の形態を説明するが、その要旨を越えない限り、以下の実施例により本発明が限定されるものではない。
【００１２】
図１は、本発明にかかるフットレスト１００が採用された車椅子２００の実施例を示す斜視図である。この車椅子２００を構成する本体フレームは、折り畳み可能なＸフレームを介して左右対称的に形成されて相対して配設されたサイドフレーム１０を有し，左右のサイドフレーム１０は、それぞれ前端部に前部フレーム１１が延設されている。また、前後左右のサイドフレーム１０には、それぞれ後車輪２０が軸着されており、左右の前部フレーム１１寄りには，前車輪２１及びブレーキ装置３０が装着されている。また、前車輪２１と後車輪２０の間のベースフレーム２２は、前端を外側に湾曲させた構造とし、車椅子２００を折り畳んだ際に、ベースフレーム２２の内側にフットレスト１００が収納される形態をしている。
【００１３】
本発明にかかるフットレスト１００の構造は、図２に示すように、前述した一対の前部フレーム１１と、その下端の固定部１１ａの上部に回動自在部１４を配設し、前記前部フレーム１１の下端に設けられた固定部１１ａとその上部に設けられた回動自在部１４の両接触面に斜断面１１ｂ、１４ａが施されている。前記前部フレーム１１の下端の固定部１１aの上部に配設された回動自在部１４に、フットレストサポート支持部１２が連結されている。該フットレストサポート支持部１２はフットレストサポート１５に固着されている。フットレストサポート１５の連結部１６付近に回動支点１８を着設して、これにフットプレート１３が配設される。車椅子を折たたんだ際に、フットプレート１３が上昇して、フットレストサポート支持部１２に連結された回動自在部１４が斜断面１１ａ，１４ａ上を回動し、ベースフレーム２２の内側にフットレスト１００が収納される。
【００１４】
かかるフットレスト１００は図３の正面図に示すように、一対の前部フレーム１１下端の回動自在部１４からフットレストサポート支持部１２を介して左右のフットレストサポート１５が架設されている。この左右のフットレストサポート支持部１２に架設された左右のフットレストサポート１５相互の中間部分は図４に示すように、バネ部材１６ａを挿着した連結部１６により連結されている。この連結部１６にバネ部材１６ａを挿着することによって、フットレストはフットプレート１３上に足を載せたときは平坦となり、足を載せていない時はフットプレート１３は山形の形状が維持されている。このようにフットプレート１３を山形状に配設することによって、第５図に示すように車椅子を折たたむ際に左右のフットレストサポート１５が連結部１６の位置で二つ折れする祭の抵抗を無くし、フットプレート１３が容易に上方に上がり、車椅子を折たたむ時に力を入れることなく折たたむことができる。連結部１６に挿着するバネ部材１６ａはつるぎバネが挿着されているが、特につるぎバネに限らず、足を載せない場合は山形状を維持し、足を載せた場合に平坦になる形状であればバネの種類は特に限定されるものではない。
【００１５】
本発明にかかるフットレスト１００は図６に示すように、足を載せるとフットプレート１３は平面状になり安定性がある形状となる。さらに硬質の合成樹脂製のフットプレート１３上にゴム板１７を貼設することにより、フットプレート１３の上に足を載せた場合に柔らかく、安定感を与える。このフットプレート１３の足が当接する部分に貼設するゴム板１７は合成ゴムであっても、天然のゴムであってもよく、足を載せた場合に柔らかく、フットプレートから足が滑らずに安定感を与えるものであれば特に限定されるものではない。
【００１６】
図７に示すように、フットレストサポート支持部１２の回動自在部１４に近い側に、フットプレート１３の角度を調節する角度調節部材１９が着設されている。角度調節部材１９のネジ１９ａをゆるめて使用者が座部４０に腰を掛けて、使用者の足が無理なく、楽な位置になるようにフットプレート１３の角度を調節して、ネジ１９ａで固定することによって、任意の角度に調節して固定することができる。このように使用者の姿勢によってフットプレート１３の角度を調節することにより、長時間車椅子を利用しても疲れない。
【００１７】
さらに、フットプレート１３の前部の角度を若干上げておくと車椅子２００の利用者が、図８に示すように洋式便器Ａの外周壁Ａ１の下端に近接させていくと、フットレストサポート１５の回動支点１８により、フットプレート１３は回動し始める。さらに近接すると、フットプレート１３の上方への回動にあわせて洋式便器Ａの外周壁Ａ１下端にフットレストサポート１５が接触すると、図９に示すように、フットプレート１３は略垂直状態にまで上方に回動する。また、用を足した後、車椅子２００に移乗し、ブレーキ３０を解除して便器から離間すると、上方に回動していたフットプレート１３は、回動支点１８のバネ部材の付勢力によって元の水平状態に戻る作用を有している。
【００１８】
【発明の効果】
車椅子のフットレストサポートの連結部材にバネ部材を挿着させることによって、フットレストに足を載せた場合は平坦となり、足を載せない状態では山形になるようにすることにより、足を載せているときには安定感を、車椅子を折り畳む時には力を入れることもなく容易に折たたむことができる効果を有している。また、フットプレートにゴム板を貼設したことにより、長時間足を載せていても痛くならず、フットプレートから足が滑らずに安定感を与える効果を有している。さらに、フットレストに角度調節部材を取り付けることにより、使用者の使用状態に応じたフットプレート角度とすることができる。フットプレートの角度を調節することにより、フットプレート上に長時間足を載せていても疲れない効果を有している。
【図面の簡単な説明】
【図１】車椅子の斜視図
【図２】フットプレートの上面図
【図３】フットプレートの正面図
【図４】連結部の部分拡大図
【図５】フットプレートの正面図
【図６】フットプレートの正面図
【図７】フットレストサポート支持部の部分を示す斜視図
【図８】フットレストを洋式便器に近接させた状態の平面図
【図９】フットプレートが上がった状態を示す斜視図
【符号の説明】
１００：本発明フットレスト
２００：本発明のフットレストを有する車椅子
１０：サイドフレーム
１１：前部フレーム
１１ａ：固定部
１１ｂ：斜断面
１２：フットレストサポート支持部
１３：フットプレート
１４：回動自在部
１４ａ：斜断面
１５：フットレストサポート
１６：連結部材
１６ａ：バネ部材
１７：ゴム板
１８：回動支点
１９：角度調節部材
１９ａ：角度調節部材の締め付けネジ
２０：後車輪
２１：前車輪
２２：ベースフレーム
３０：ブレーキ
４０：座部
【図１】
0004700840.tif 000002
【図２】
0004700840.tif 000003
【図３】
0004700840.tif 000004
【図４】
0004700840.tif 000005
【図５】
0004700840.tif 000006
【図６】
0004700840.tif 000007
【図７】
0004700840.tif 000008
【図８】
0004700840.tif 000009
【図９】
0004700840.tif 000010